(57)【特許請求の範囲】
【請求項１】
蓄電池内に電解液を注入するために電解液容器の先端部が挿し込まれる注液口であって、
上下に延びて内外に通じる筒状部と、筒状部の下縁から筒状部の下方中央に延びた複数の腕部と、腕部にて支持され筒状部の下方中央から上下に延びた注液筒とからなっており、注液筒は、上端が尖り、上下に貫通した注入路を有し、側部に膨出部を有しており、膨出部には排気溝が縦断して形成されている、注液口の構造において、
膨出部の排気溝の下端位置を腕部上面より上方に設定して、排気溝の下端と腕部上面との間に間隙を設けたことを特徴とする密閉形鉛蓄電池の注液口構造。
【発明の詳細な説明】
【０００１】
【発明の属する技術分野】
本発明は、蓄電池内に電解液を注入するために電解液容器の先端部が挿し込まれる注液口の構造に関するものである。
【０００２】
【従来の技術】
図４は従来一般の密閉形鉛蓄電池の斜視全体図である。図において、１は電槽、２は蓋であり、蓋２には注液部３が形成されている。なお、２１は端子である。注液部３は、ここでは６個の注液口４で構成されている。
【０００３】
図５は注液口４を密封する密封栓５の斜視全体図である。密封栓５は、電解液が蓄電池内から漏出するのを防止するために使用される。密封栓５は、注液口４と同数の栓部５１を有している。
【０００４】
図６は電解液を収容した電解液容器６の正面全体図である。電解液容器６は、注液口４と同数の胴体部６１が連接して構成されており、胴体部６１には先端部６２が形成されている。先端部６２の先端は薄膜６３により塞がれている。
【０００５】
図７は注液口４の拡大斜視図、図８は注液口４の上面図、図９は図８のIX−IX断面図である。これらの図に示すように、注液口４は、上下に延びて内外に通じる筒状部４１と、筒状部４１の下縁から筒状部４１の下方中央に延びた複数のサポート（腕部）４２と、サポート４２にて支持され筒状部４１の下方中央から上下に延びた注液筒４３とからなっている。注液筒４３は、上端が尖り、上下に貫通した注入路４４を有し、側部に膨出部４５を有している。膨出部４５には排気溝４６が縦断して形成されている。そして、排気溝４６の下端４６ａはサポート４２の上面４２ａの高さに位置している。
【０００６】
図１０は注液口４に密封栓５を取付けた状態の断面図である。栓部５１は、その周壁５１１が筒状部４１の内面に摺接することによって、蓄電池内の気密性を維持している。
【０００７】
図１１は電解液容器６の先端部６２を注液口４に挿し込んだ状態の断面図、図１２は図１１のXII −XII 断面図である。先端部６２の薄膜６３は注液筒４３の先端により破られている。先端部６２は注液筒４３及び膨出部４５に沿って拡開され、排気溝４６を通って矢印のように空気が流れ込むことによって、注液が円滑に行なわれる。この注液時の水頭圧は、注液筒４３の下端４３ａから排気溝４６の下端４６ａまでの高さ寸法Ａ（図９）に依存している。
【０００８】
【発明が解決しようとする課題】
ところで、蓄電池のコンパクト化を図るためには、図９において、注液筒４３の下端４３ａから蓋２の下面２２までの高さ寸法Ｂを小さくする必要がある。しかし、注液筒４３の高さ寸法Ａは、安定した注液を行なうために必要な水頭圧を得るため、維持しておく必要がある。また、筒状部４１の摺接部の上下寸法Ｃも十分な気密性を得るために維持しておく必要がある。更に、注液口４の深さ寸法Ｄも、電解液容器６の先端部６２の安定した挿し込みを得るために維持しておく必要がある。従って、従来では、このような状況下において、高さ寸法Ｂを小さくして蓄電池のコンパクト化を図るのが、困難であった。
【０００９】
本発明は、上記状況下においても、それぞれの必要性に反することなく、蓄電池のコンパクト化を図ることができる、密閉形鉛蓄電池の注液口構造を提供することを目的とする。
【００１０】
【課題を解決するための手段】
上記目的を達成するために、本発明は、蓄電池内に電解液を注入するために電解液容器の先端部が挿し込まれる注液口であって、上下に延びて内外に通じる筒状部と、筒状部の下縁から筒状部の下方中央に延びた複数の腕部と、腕部にて支持され筒状部の下方中央から上下に延びた注液筒とからなっており、注液筒は、上端が尖り、上下に貫通した注入路を有し、側部に膨出部を有しており、膨出部には排気溝が縦断して形成されている、注液口の構造において、膨出部の排気溝の下端位置を腕部上面より上方に設定して、排気溝の下端と腕部上面との間に間隙を設けたことを特徴としている。
【００１１】
【発明の実施の形態】
図１は本発明の注液口構造の断面図である。図において、従来技術にて用いた符号と同一符号は同じ又は相当するものを示す。本発明において、排気溝４６の下端４６ａはサポート４２の上面４２ａより上方に位置している。
【００１２】
図２は電解液容器６の先端部６２を注液口４に挿し込んだ状態の断面図である。先端部６２は注液筒４３及び膨出部４５に沿って拡開され、排気溝４６を通って矢印のように空気が流れ込むことによって、注液が円滑に行なわれる。
【００１３】
上記構成の注液口４では、筒状部４１の摺接部の上下寸法Ｃ及び注液口４の深さ寸法Ｄは、従来（図９）と同じ大きさに確保されている。そして、注液時の水頭圧も、従来（図９）と同じ大きさに確保されている。即ち、注液筒４３の下端４３ａから排気溝４６の下端４６ａまでの高さ寸法は図９の寸法Ａと同じである。それ故、注液筒４３の下端４３ａからサポート４２の上面４２ａまでの寸法Ｅは寸法Ａより寸法ΔＡだけ小さくなっている。寸法ΔＡはサポート４２の上面４２ａから排気溝４６の下端４６ａまでの寸法である。従って、従来において、注液筒４３の下端４３ａから蓋２の下面２２までの高さ寸法Ｂが寸法Ａと寸法Ｄの和、即ちＢ＝Ａ＋Ｄであったのが、上記構成の注液口４では、注液筒４３の下端４３ａから蓋２の下面２２までの高さ寸法Ｂ1 は寸法Ｅと寸法Ｄの和、即ちＢ1 ＝Ｅ＋Ｄとなり、Ｅ＝Ａ−ΔＡであるので、寸法Ｂ1 は寸法ＢよりΔＡだけ小さくなっている。
【００１４】
以上のように、上記構成の注液口４では、寸法Ｃが従来と同じ大きさに確保されているので、密封栓５を取付けた際に十分な気密性が維持される。また、寸法Ｄが従来と同じ大きさに確保されているので、電解液容器６の先端部６２の安定した挿し込みが維持される。そして、寸法Ｂ1 が寸法Ｂ（図９）よりΔＡだけ小さくなっているので、蓄電池のコンパクト化が図られる。
【００１５】
なお、図３に示すように、膨出部４５の、排気溝４６を境にした一方側の部分４５ａの下端部を切欠くことによって、排気溝４６の下端４６ａをサポート４２の上面４２ａより上方に位置させるようにしてもよい。
【００１６】
【発明の効果】
以上のように本発明の密閉形鉛蓄電池の注液口構造によれば、密封栓５を取付けた際の気密性及び電解液容器６の先端部６２を挿し込んだ際の安定性を十分に維持しながら、注液筒４３の下端４３ａから蓋２２の下面２２ａまでの寸法を小さくして蓄電池のコンパクト化を図ることができる。
【図面の簡単な説明】
【図１】  本発明の注液口構造の断面図である。
【図２】  電解液容器の先端部を図１の注液口に挿し込んだ状態の断面図である。
【図３】  本発明の注液口構造の注液筒の膨出部の別の例を示す斜視図である。
【図４】  従来一般の密閉形鉛蓄電池の斜視全体図である。
【図５】  注液口を密封する密封栓の斜視全体図である。
【図６】  電解液を収容した電解液容器の正面全体図である。
【図７】  従来の注液口の拡大斜視図である。
【図８】  従来の注液口の上面図である。
【図９】  図８のIX−IX断面図である。
【図１０】  従来の注液口に密封栓を取付けた状態の断面図である。
【図１１】  電解液容器の先端を従来の注液口に挿し込んだ状態の断面図である。
【図１２】  図１１のXII −XII 断面図である。
【符号の説明】
４  注液口
４１  筒状部
４２  サポート（腕部）
４３  注液筒
４４  注入路
４５  膨出部
４６  排気溝
４６ａ  （排気溝の）下端
【図１】
0003853412.tif 000002
【図２】
0003853412.tif 000003
【図３】
0003853412.tif 000004
【図４】
0003853412.tif 000005
【図５】
0003853412.tif 000006
【図６】
0003853412.tif 000007
【図７】
0003853412.tif 000008
【図８】
0003853412.tif 000009
【図９】
0003853412.tif 000010
【図１０】
0003853412.tif 000011
【図１１】
0003853412.tif 000012
【図１２】
0003853412.tif 000013